(57)【要約】【課題】ネットワーク上の録画コンテンツを含む番組表を表示する。【解決手段】映像信号処理部２１１はチューナ２１０より供給される所定のチャンネルの受信信号から番組表データを抽出し、制御部２０３に供給する。また、制御部２０３は外部入力制御部２４０を介してネットワーク等により接続された各録画装置４００で録画された録画コンテンツの一覧を示す録画コンテンツデータを取得する。制御部２０３は番組表データと録画コンテンツデータに基づいて録画コンテンツを含む番組表を表示するための表示データを生成し、オーバレイグラフィック処理部２０４に供給する。映像出力処理部２１３はオーバレイグラフィック処理部２０４からの表示データに対応する映像信号と映像信号処理部２１１からの映像信号とを重ね合わせた合成映像信号を表示部２２０に供給し、表示部２２０に録画コンテンツを含む番組表が表示される。【選択図】図１
2006245759.tif 000002
【特許請求の範囲】
【請求項１】
所定の映像を所定の表示装置に表示する表示制御装置であって、
複数のチャンネルから所定のチャンネルを選局し、選局した前記チャンネルの所定のものの受信信号を出力する選局手段と、
前記選局手段によって選局された前記チャンネルの所定のものの受信信号から番組表データを取得する第１の取得手段と、
所定のネットワークを介して接続された各機器において録画されている各録画コンテンツの一覧を示すコンテンツデータを取得する第２の取得手段と、
前記第１の取得手段によって取得された前記番組表データと、前記第２の取得手段によって取得された前記コンテンツデータとに基づいて、各チャンネルで放送される番組の番組表と、各録画コンテンツの一覧を前記表示装置に表示する表示制御手段と
を備えることを特徴とする表示制御装置。
【請求項２】
設定された前記録画コンテンツの表示方法を記憶する記憶手段と、
前記記憶手段に記憶された前記表示方法に従って前記録画コンテンツを編集し、前記録画コンテンツの一覧を示す録画コンテンツ一覧データを生成する編集手段と
をさらに備え、
前記表示制御手段は、前記編集手段によって生成された前記録画コンテンツ一覧データに対応する録画コンテンツの一覧を前記番組表とともに前記表示装置に表示する
ことを特徴とする請求項１に記載の表示制御装置。
【請求項３】
前記編集手段は、前記表示方法に従って、前記録画コンテンツの中から、順に再生したときに所定時間内に収まる前記録画コンテンツの１または複数の所定のものを選択し、選択した前記録画コンテンツの１または複数の所定のものの一覧を示す録画コンテンツ一覧データを生成する
ことを特徴とする請求項２に記載の表示制御装置。
【請求項４】
所定の映像を所定の表示装置に表示する表示制御方法であって、
複数のチャンネルから所定のチャンネルを選局し、選局した前記チャンネルの所定のものの受信信号を出力する選局ステップと、
前記選局ステップにおいて選局された前記チャンネルの所定のものの受信信号から番組表データを取得する第１の取得ステップと、
所定のネットワークを介して接続された各機器において録画されている各録画コンテンツの一覧を示すコンテンツデータを取得する第２の取得ステップと、
前記第１の取得ステップにおいて取得された前記番組表データと、前記第２の取得ステップにおいて取得された前記コンテンツデータとに基づいて、各チャンネルで放送される番組の番組表と、各録画コンテンツの一覧を前記表示装置に表示する表示制御ステップと
を備えることを特徴とする表示制御方法。
【請求項５】
所定の映像を所定の表示装置に表示する表示制御装置を制御する表示制御プログラムであって、
複数のチャンネルから所定のチャンネルを選局し、選局した前記チャンネルの所定のものの受信信号を出力する選局ステップと、
前記選局ステップにおいて選局された前記チャンネルの所定のものの受信信号から番組表データを取得する第１の取得ステップと、
所定のネットワークを介して接続された各機器において録画されている各録画コンテンツの一覧を示すコンテンツデータを取得する第２の取得ステップと、
前記第１の取得ステップにおいて取得された前記番組表データと、前記第２の取得ステップにおいて取得された前記コンテンツデータとに基づいて、各チャンネルで放送される番組の番組表と、各録画コンテンツの一覧を前記表示装置に表示する表示制御ステップと
を前記表示制御装置に実行させることを特徴とする表示制御プログラム。
【発明の詳細な説明】
【技術分野】
【０００１】
本発明は表示制御装置に関し、特に、電子番組表を表示する表示制御装置に関するものである。
【背景技術】
【０００２】
従来、テレビジョン受像機では、所定の操作を行うことにより、各放送局で放送される各番組の放送開始時刻と放送終了時刻とを示す電子番組表を画面に表示させることができる。従って、所定のチャンネルの番組を視聴している視聴者は、この電子番組表に基づいて次に視聴する番組を決め、いま視聴している番組が終了すると、次に視聴したい番組が放送されるチャンネルにリモコン（リモートコントローラ）等を操作して切り替えるようにしている。
【０００３】
また、ＡＶセンタにより受信された映像信号に重畳された番組表データが、内蔵するＣＲＴモニタに供給され、所定の番組表が表示され、この番組表に、所定のカーソルが表示される。そして、リモコンによりカーソルを所望の番組の位置に移動させ、その番組の録画予約を指示すると、ＴＶより録画予約された番組のチャンネル番号、放送日、放送開始時刻、および放送終了時刻が、ＡＶバスを介して例えば第１ＶＴＲに送信され、第１ＶＴＲは、この信号に従って録画予約を行うというものがある（例えば、特許文献１参照）。
【特許文献１】特開２００４−１３５３５６号公報
【発明の開示】
【発明が解決しようとする課題】
【０００４】
しかしながら、従来のテレビジョン受像機では、ユーザがリモコン操作によって電子番組表を画面に表示させることができるが、テレビジョン受像機に接続されたハードディスクレコーダ等の録画装置に録画されている番組の一覧を同一画面に表示させることはできなかった。このため、現在リアルタイムで放送されている各放送局の番組と、録画した番組とをシームレスに効率よく視聴するということができないという問題があった。
また、番組表に基づいて録画予約ができるものがあるが、既に録画した番組の一覧を電子番組表とともに同一画面に同時に表示するという機能はなかったため、録画したものを効率的に再生して視聴することができないという問題があった。
本発明はこのような状況に鑑みてなされたものであり、現在視聴している番組が終了する一定時間前に番組表を表示して、次に視聴したい番組の選局や録画を予約することができるようにするものである。
【課題を解決するための手段】
【０００５】
請求項１に記載の表示制御装置は、所定の映像を所定の表示装置に表示する表示制御装置であって、複数のチャンネルから所定のチャンネルを選局し、選局したチャンネルの所定のものの受信信号を出力する選局手段と、選局手段によって選局されたチャンネルの所定のものの受信信号から番組表データを取得する第１の取得手段と、所定のネットワークを介して接続された各機器において録画されている各録画コンテンツの一覧を示すコンテンツデータを取得する第２の取得手段と、第１の取得手段によって取得された番組表データと、第２の取得手段によって取得されたコンテンツデータとに基づいて、各チャンネルで放送される番組の番組表と、各録画コンテンツの一覧を表示装置に表示する表示制御手段とを備えることを特徴とする。
また、設定された録画コンテンツの表示方法を記憶する記憶手段と、記憶手段に記憶された表示方法に従って録画コンテンツを編集し、録画コンテンツの一覧を示す録画コンテンツ一覧データを生成する編集手段とをさらに備え、表示制御手段は、編集手段によって生成された録画コンテンツ一覧データに対応する録画コンテンツの一覧を番組表とともに表示装置に表示するようにすることができる。
また、編集手段は、表示方法に従って、録画コンテンツの中から、順に再生したときに所定時間内に収まる録画コンテンツの１または複数の所定のものを選択し、選択した録画コンテンツの１または複数の所定のものの一覧を示す録画コンテンツ一覧データを生成するようにすることができる。
請求項４に記載の表示制御方法は、所定の映像を所定の表示装置に表示する表示制御方法であって、複数のチャンネルから所定のチャンネルを選局し、選局したチャンネルの所定のものの受信信号を出力する選局ステップと、選局ステップにおいて選局されたチャンネルの所定のものの受信信号から番組表データを取得する第１の取得ステップと、所定のネットワークを介して接続された各機器において録画されている各録画コンテンツの一覧を示すコンテンツデータを取得する第２の取得ステップと、第１の取得ステップにおいて取得された番組表データと、第２の取得ステップにおいて取得されたコンテンツデータとに基づいて、各チャンネルで放送される番組の番組表と、各録画コンテンツの一覧を表示装置に表示する表示制御ステップとを備えることを特徴とする。
請求項５に記載の表示制御プログラムは、所定の映像を所定の表示装置に表示する表示制御装置を制御する表示制御プログラムであって、複数のチャンネルから所定のチャンネルを選局し、選局したチャンネルの所定のものの受信信号を出力する選局ステップと、選局ステップにおいて選局されたチャンネルの所定のものの受信信号から番組表データを取得する第１の取得ステップと、所定のネットワークを介して接続された各機器において録画されている各録画コンテンツの一覧を示すコンテンツデータを取得する第２の取得ステップと、第１の取得ステップにおいて取得された番組表データと、第２の取得ステップにおいて取得されたコンテンツデータとに基づいて、各チャンネルで放送される番組の番組表と、各録画コンテンツの一覧を表示装置に表示する表示制御ステップとを表示制御装置に実行させることを特徴とする。
【発明の効果】
【０００６】
本発明の表示制御装置によれば、各放送局より放送される番組の番組表と、ネットワーク上の録画装置に録画された録画番組の一覧とを同一画面上で同時に閲覧することができるので、より効率的に番組の視聴を行うことが可能となる。
【発明を実施するための最良の形態】
【０００７】
図１は、本発明を応用したテレビジョン受像機の一実施の形態の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０と、映像信号処理部２１１と、音声信号処理部２１２と、映像出力処理部２１３と、音声出力処理部２１４と、表示部２２０と、スピーカ２３０と、外部入力制御部２４０等から構成されている。チューナ２１０は、アンテナ３００と接続され、地上波放送、ＢＳ放送、ＣＳ放送、データ放送等を受信し、所望のチャンネルを選局することができるようになっている。
【０００８】
受光部２０１は、リモートコントローラ（以下、リモコンと略記する）１００より出射された赤外線を受光し、対応する電気信号に変換した後、インタフェース（Ｉ／Ｆ）２０２に供給するようになっている。Ｉ／Ｆ２０２は、受光部２０１より供給された電気信号に対応する制御データを制御部２０３に供給するようになっている。
【０００９】
制御部２０３は、Ｉ／Ｆ２０２より供給された制御データに基づいて各部を制御し、リモコン１００の操作に対応する各種処理を実行するようになっている。例えば、リモコン１００の操作に対応して、制御部２０３は、後述する映像信号処理部２１１より供給される映像信号に重畳された電子番組表（Electronic Program Guide（EPG））のデータ（各番組が放送されるチャンネルと、その放送開始時刻、および放送終了時刻とからなるデータ）に基づいて、番組表を表示部２２０の画面に表示するとともに、テレビジョン受像機２００にネットワーク等を介して接続された後述する録画装置４００−１乃至４００−４にそれぞれ録画された録画番組（録画コンテンツ）のタイトルや録画時間等を示す録画番組表を表示部２２０の画面に表示するようになっている。以下では、録画装置４００−１乃至４００−４を特に区別する必要がない場合、適宜、単に、録画装置４００と記載することにする。
【００１０】
即ち、制御部２０３は、電子番組表データに基づいて、番組表に対応するオーバレイグラフィックを生成するための番組表表示データを生成する。また、制御部２０３は、各録画装置４００によって録画された録画番組に関するデータ（番組のタイトル、録画時間または録画開始時刻および録画終了時刻等）を取得し、録画番組表に対応するオーバレーグラフィックを生成するための録画番組表表示データを生成する。そして、番組表表示データと録画番組表表示データを編集し、録画番組表を含む番組表を表示するための番組表表示データを生成し、オーバレイグラフィック処理部２０４に供給するようになっている。
【００１１】
オーバレイグラフィック処理部２０４は、制御部２０３より供給された番組表表示データに基づいて、チューナ２１０によって選局されたチャンネルの放送番組に対応する映像に重ね合わせる文字や図形からなるオーバレイグラフィックを生成し、映像出力処理部２１３に供給するようになっている。例えば、制御部２０３より供給された録画番組表を含む番組表を表示するための番組表表示データに基づいて、図２に示すような録画番組表を含む番組表を生成するようになっている。
【００１２】
この番組表は、各放送局で放送される各番組のタイトルと放送開始時刻および放送終了時刻等からなる番組表と、各録画装置４００に録画された各番組のタイトルと録画開始時刻および録画終了時刻からなる録画番組表とにより構成されている。
【００１３】
図２に示した例では、番組表が画面の上部の所定の領域（上部領域）に表示され、録画番組表が画面の下部領域に表示されている。視聴者であるユーザは、この番組表を見て、次に視聴する番組を決定し、リモコン１００を操作して、視聴したい番組が放送されるチャンネルに切り替えることとなる。
【００１４】
音声処理部２０６は、制御部２０３からの指令に基づいて音声信号を生成し、音声出力処理部２１４に供給するようになっている。例えば、リモコン１００のキー操作に応じた音声信号を生成するようになっている。
【００１５】
チューナ２１０は、アンテナ３００によって受信された受信信号から所定のチャンネルの映像音声信号を抽出し、映像信号を映像信号処理部２１１に供給し、音声信号を音声信号処理部２１２に供給するようになっている。
【００１６】
映像信号処理部２１１は、チューナ２１０より供給された映像信号に対してそれぞれ所定の処理を施した後、映像出力処理部２１３に供給するようになっている。例えば、映像信号に重畳されている電子番組表データを抽出し、制御部２０３に供給するようになっている。また、映像信号処理部２１１は、チューナ２１０より供給された映像信号から電子番組表に対応する番組表データを取り出し、制御部２０３に供給するようになっている。音声信号処理部２１２は、チューナ２１０より供給された音声信号に対してそれぞれ所定の処理を施した後、音声出力処理部２１４に供給するようになっている。
【００１７】
映像出力処理部２１３は、オーバレイグラフィック処理部２０４によって生成されたオーバレイグラフィックを映像信号処理部２１１より供給された映像信号に重ね合わせて合成映像信号を生成し、表示部２２０に供給するようになっている。表示部２２０は、映像出力処理部２１３より供給された映像信号または合成映像信号に対応する映像を画面に表示するようになっている。
【００１８】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００１９】
図２は、表示部２２０の画面に表示された番組表の例を示している。同図に示したように、この例では、画面の上部領域に各放送局から放送される番組の番組表が表示され、画面の下部領域に各録画装置４００に録画された録画番組の録画番組表が表示されている。
【００２０】
例えば、放送局Ａでは、１５時００分から１７時００分まで番組Ａ−１が放送され、１７時００分から１９時００分まで番組Ａ−２が放送され、１９時００分から２０時００分まで番組Ａ−３が放送され、２０時００分から２１時００分まで番組Ａ−４が放送される。また、放送局Ｂでは、１５時００分から１７時００分まで番組Ｂ−１が放送され、１７時００分から１９時００分まで番組Ｂ−２が放送され、１９時００分から２１時００分まで番組Ｂ−３が放送される。表示部２２０の画面には、各番組に対応する矩形が表示され、その矩形の中に番組のタイトル等が表示される。各矩形の水平方向の長さは、その番組の放送時間に対応し、各矩形の左右の辺の水平方向の位置は、放送開始時刻および放送終了時刻にそれぞれ対応している。
【００２１】
また、放送局Ｃでは、１５時００分から１７時００分まで番組Ｃ−１が放送され、１７時００分から１８時００分まで番組Ｃ−２が放送され、１８時００分から２１時００分まで番組Ｃ−３が放送される。また、放送局Ｄでは、１５時００分から１７時００分まで番組Ｄ−１が放送され、１７時００分から１８時００分まで番組Ｄ−２が放送され、１８時００分から１９時３０分まで番組Ｄ−３が放送され、１９時３０分から２１時００分まで番組Ｄ−４が放送される。
【００２２】
また、例えば、録画装置４００−１（以下では、適宜、録画装置Ｐと記載する）では、録画番組Ｐ−１，Ｐ−２が録画されており、各録画番組に対応する矩形がそれぞれ表示されている。この録画番組Ｐ−１に対応する矩形の横方向の長さは、録画番組Ｐ−１の録画時間を表している。また、録画番組Ｐ−２に対応する矩形の横方向の長さは、録画番組Ｐ−２の録画時間を表している。この例では、録画番組Ｐ−１の録画時間は１時間、録画番組Ｐ−２の録画時間は２時間となっている。
【００２３】
また、録画装置４００−２（以下では、適宜、録画装置Ｑと記載する）では、録画番組Ｑ−１，Ｑ−２，Ｑ−３が録画されており、各録画番組に対応する矩形がそれぞれ表示されている。この録画番組Ｑ−１に対応する矩形の横方向の長さは、録画番組Ｑ−１の録画時間を表している。また、録画番組Ｑ−２に対応する矩形の横方向の長さは、録画番組Ｑ−２の録画時間を表している。また、録画番組Ｑ−３に対応する矩形の横方向の長さは、録画番組Ｑ−３の録画時間を表している。この例では、録画番組Ｑ−１の録画時間は１時間３０分、録画番組Ｑ−２の録画時間は１時間、録画番組Ｑ−３の録画時間は１時間３０分となっている。
【００２４】
また、録画装置４００−３（以下では、適宜、録画装置Ｒと記載する）では、録画番組Ｒ−１，Ｒ−２が録画されており、各録画番組に対応する矩形がそれぞれ表示されている。この録画番組Ｒ−１に対応する矩形の横方向の長さは、録画番組Ｒ−１の録画時間を表している。また、録画番組Ｒ−２に対応する矩形の横方向の長さは、録画番組Ｒ−２の録画時間を表している。この例では、録画番組Ｒ−１の録画時間は１時間３０分、録画番組Ｒ−２の録画時間は２時間となっている。
【００２５】
また、録画装置４００−４（以下では、適宜、録画装置Ｔと記載する）では、録画番組Ｔ−１，Ｔ−２が録画されており、各録画番組に対応する矩形がそれぞれ表示されている。この録画番組Ｔ−１に対応する矩形の横方向の長さは、録画番組Ｔ−１の録画時間を表している。また、録画番組Ｔ−２に対応する矩形の横方向の長さは、録画番組Ｔ−２の録画時間を表している。この例では、録画番組Ｔ−１の録画時間は２時間、録画番組Ｔ−２の録画時間は１時間となっている。
【００２６】
図２に示した例では、各録画装置４００に録画されている録画番組を示す各矩形が、各録画装置４００毎に、録画した日時の早いものから順に左から右に並べ替えて表示されている。このように、録画した番組の録画番組表を通常の番組表が表示される画面と同一の画面に同時に表示することにより、録画番組の中で視聴したい番組の有無を即座に認識し、いま放送されている番組の中に視聴したい番組がないという空き時間に効率的に録画番組を視聴することが可能となる。
【００２７】
図３は、後述するように、所定の条件に従って、各録画装置４００において録画された各録画番組をシリアルに並べ替えて表示したものである。このように、各録画番組に対応する矩形を時間軸（図２および図３において水平方向に仮想的に設定したものであり、右方向が未来を示す）に対して重ならないようにシリアルに並べて表示することにより、各録画番組を視聴するのに要する時間を視覚的に即座に認識したり、所定時間内に視聴可能な録画番組の組み合わせを認識することが可能となる。この例では、１５：００から２１：００までの６時間の間に視聴可能な録画番組がシリアルに並べて表示されている。
【００２８】
また、図２に示した録画番組表を元に、ユーザ自身が視聴したい録画番組を選択することも可能である。例えば、番組Ａ−１を視聴した後、番組Ｂ−３を視聴したいと考えている場合、番組Ａ−１の放送が終了した後、番組Ｂ−３の放送が開始されるまでの間、録画番組Ｔ−１を視聴すれば、丁度空き時間（この場合２時間）に録画番組Ｔ−１を視聴することができ、時間を無駄にすることなく録画した番組を視聴することができる。
【００２９】
次に、図４のフローチャートを参照して本実施の形態の処理手順について説明する。まず、ステップＳ１において、テレビジョン受像機２００の制御部２０３は、ユーザによってリモコン１００が操作され、番組表の表示が指示されたか否かが判定される。即ち、リモコン１００より出射された赤外線が受光部２０１によって受光され、インタフェース（Ｉ／Ｆ）２０２を介して供給されたその赤外線に対応する制御コマンドが、番組表の表示を指示するものであるか否かが判定される。
【００３０】
その結果、インタフェース２０２を介して供給された制御コマンドが番組表の表示を指示するものではないと判定された場合、ステップＳ１の処理が繰り返し実行される。一方、インタフェース２０２を介して供給された制御コマンドが番組表の表示を指示するものであると判定された場合、ステップＳ２に進む。
【００３１】
ステップＳ２においては、現在より以降に放送される各放送局の番組表に対応する番組表データが取得される。即ち、チューナ２１０より供給される各放送局の映像信号に重畳されている番組表データが映像信号処理部２１１によって抽出され、制御部２０３に供給される。
【００３２】
次に、ステップＳ３において、制御部２０３により、各録画装置４００に録画されている録画番組のタイトルおよび録画時間等からなる録画番組表データが取得される。即ち、制御部２０３は、外部入力制御部２４０に対して、所定のネットワーク等を介して接続される各録画装置４００に録画されている録画番組表を示す録画番組表データを取得するよう指令する。
【００３３】
この指令を受けた外部入力制御部２４０は、各録画装置４００に対して、録画済みの録画番組を示す録画番組表データを送信するよう指令する。各録画装置４００は、外部入力制御部２４０からの指令に基づいて、録画済みの録画番組のタイトルや録画時間等からなる録画番組表データを外部入力制御部２４０に供給する。外部入力制御部２４０は、各録画装置４００より供給された録画番組表データを制御部２０３に供給する。
【００３４】
次に、ステップＳ４において、制御部２０３は、映像信号処理部２１１より供給された番組表データに基づいて、番組表を表示部２２０の画面に表示するための番組表表示データを作成する。例えば、図２に示すように、この番組表表示データに対応する番組表は、番組のタイトルを含む矩形として示される。この矩形の画面上での水平方向の長さは、この番組の開始から終了までの時間を表している。
【００３５】
次に、ステップＳ５において、制御部２０３は、外部入力制御部２４０より供給された録画番組表データに基づいて、録画番組表を表示部２２０の画面に表示するための録画番組表表示データを作成する。この録画番組表表示データは、各録画装置４００に録画されている各録画番組のタイトル等を含む矩形として示される。この矩形の画面上での水平方向の長さは、この録画番組の録画時間を表している。
【００３６】
ステップＳ６においては、制御部２０３は、作成した番組表表示データと、録画番組表表示データとを編集して、表示部２２０の画面に録画番組表を含む番組表を表示するための表示データを作成し、オーバレイグラフィック処理部２０４に供給する。
【００３７】
オーバレイグラフィック処理部２０４は、制御部２０３より供給された表示データに基づいて録画番組表を含む番組表に対応する映像信号を生成し、映像出力処理部２１３に供給する。
【００３８】
映像出力処理部２１３は、オーバレイグラフィック処理部２０４より供給された番組表に対応する映像信号と、映像信号処理部２１１より供給された映像信号とを重ね合わせた合成映像信号を生成し、表示部２２０に供給する。表示部２２０は、映像出力処理部２１３より供給された合成映像信号に対応する映像を画面に表示する。図２は、このようにして表示部２２０の画面に表示された番組表の表示例を示している。
【００３９】
次に、ステップＳ７において、制御部２０３により、ユーザによってリモコン１００が操作され、番組表の消去（非表示）が指示されたか否かが判定される。即ち、リモコン１００より出射された赤外線が受光部２０１によって受光され、インタフェース（Ｉ／Ｆ）２０２を介して供給されたその赤外線に対応する制御コマンドが、番組表の消去を指示するものであるか否かが判定される。
【００４０】
その結果、インタフェース２０２を介して供給された制御コマンドが番組表の消去を指示するものではないと判定された場合、ステップＳ７の処理が繰り返し実行される。一方、インタフェース２０２を介して供給された制御コマンドが番組表の消去を指示するものであると判定された場合、ステップＳ８に進む。
【００４１】
ステップＳ８においては、制御部２０３によって番組表および録画番組表を表示するための表示データの作成が中止され、オーバレイグラフィック処理部２０４から映像出力処理部２１３に対する録画番組表を含む番組表に対応する映像信号の供給さ停止され、映像出力処理部２１３は、映像信号処理部２１１から供給された映像信号のみを表示部２２０に供給する。これにより、表示部２２０の画面から番組表が消去される。その後、ステップＳ１に戻り、ステップＳ１以降の処理が繰り返し実行される。
【００４２】
次に、図５のフローチャートを参照して、図４のステップＳ５における録画番組表表示データの作成手順について説明する。まず最初に、ステップＳ１１において、制御部２０３は、ユーザがリモコン１００を操作して指定した録画番組の表示方法を示す設定データを制御部２０３を構成する図示しないメモリから取得する。
【００４３】
即ち、ユーザがリモコン１００を操作してテレビジョン受像機２００の表示部２２０に表示される録画番組表の表示方法を設定すると、その設定された表示方法に対応する設定データが制御部２０３の図示しないメモリに記憶されるようになっているものとする。
【００４４】
次に、ステップＳ１２において、制御部２０３は、取得した設定データに基づいて、録画時間の短いものから順に左から右に並べ替えて表示する表示方法が設定されているか否かが判定される。その結果、録画時間の短いものから順に左から右に並べ替えて表示する表示方法が設定されていないと判定された場合、ステップＳ１４に進む。一方、録画時間の短いものから順に左から右に並べ替えて表示する表示方法が設定されていると判定された場合、ステップＳ１３に進む。
【００４５】
ステップＳ１３においては、制御部２０３は、外部入力制御部２４０より供給された各録画装置４００の録画番組表データに基づいて、録画時間の短いものから順に並べ替えた録画番組表表示データを作成する。
【００４６】
次に、ステップＳ１４において、制御部２０３は、取得した設定データに基づいて、録画時間の長いものから順に左から右に並べ替えて表示する表示方法が設定されているか否かが判定される。その結果、録画時間の長いものから順に左から右に並べ替えて表示する表示方法が設定されていないと判定された場合、ステップＳ１６に進む。一方、録画時間の長いものから順に左から右に並べ替えて表示する表示方法が設定されていると判定された場合、ステップＳ１５に進む。
【００４７】
ステップＳ１５においては、制御部２０３は、外部入力制御部２４０より供給された各録画装置４００の録画番組表データに基づいて、録画時間の長いものから順に並べ替えた録画番組表表示データを作成する。
【００４８】
次に、ステップＳ１６において、制御部２０３は、取得した設定データに基づいて、ユーザが指定した所定の時間内に再生可能な録画番組を選択し、所定の順に左から右に並べ替えて表示する表示方法が設定されているか否かが判定される。その結果、所定の時間内に再生可能な録画番組を選択し、所定の順に左から右に並べ替えて表示する表示方法が設定されていないと判定された場合、図４のステップＳ６に進む。
【００４９】
一方、所定の時間内に再生可能な録画番組を選択し、所定の順に左から右に並べ替えて表示する表示方法が設定されていると判定された場合、ステップＳ１７に進む。
【００５０】
ステップＳ１７においては、制御部２０３は、外部入力制御部２４０より供給された各録画装置４００の録画番組表データに基づいて、所定の時間内に再生可能な録画番組を選択し、所定の順に左から右に並べ替えた録画番組表表示データを作成する。その後、図４のステップＳ６に進む。
【００５１】
このように、録画番組表の表示方法を予め指定しておくことにより、指定した順番で録画番組表を表示させることができる。また、上述した表示方法の他に、ユーザが未視聴のもののみを表示するようにしたり、例えば、番組の出演者毎に、あるいは番組のジャンル毎に優先順位を予め設定しておき、優先順位の高いものから順に表示させるようにすることも可能である。その他、様々な表示方法の設定が可能である。
【００５２】
以上説明したように、テレビジョン受像機２００は、各放送局より放送される番組の番組表と、テレビジョン受像機２００にネットワーク等で接続された録画装置４００によって録画された番組の録画番組表を同一画面に同時に表示し、その中から所望の番組を選択し、視聴することができるので、放送された時間に関係なく、効率的に番組を視聴することができる。
【００５３】
また、テレビジョン受像機２００には、録画装置４００のみならず、ＤＶＤ再生装置等も接続することができ、ＤＶＤのタイトルと再生時間を番組表と同時に表示することもできる。これにより、放送された番組のみならず、映画等の視聴も空き時間に効率よく行うことが可能となる。
【００５４】
なお、表示部２２０の画面に表示される番組表のレイアウトは、適宜変更することができる。例えば、上記実施の形態では、時間軸を横軸に取り、放送局名および録画装置名を縦方向に並べて表示しているが、時間軸を縦軸に取り、放送局名および録画装置名を横方向に並べて表示してもよい。
【００５５】
また、上記実施の形態の構成及び動作は例であって、本発明の趣旨を逸脱しない範囲で適宜変更することができることは言うまでもない。
【産業上の利用可能性】
【００５６】
本発明の活用例として、例えば、テレビジョン放送やデータ放送等を受信可能な録画装置やナビゲーションシステム、携帯電話機等に本発明を適用することができる。
【図面の簡単な説明】
【００５７】
【図１】本発明を応用したテレビジョン受像機の一実施の形態の構成例を示すブロック図である。
【図２】表示部の画面に表示された番組表の例を示す図である。
【図３】表示部の画面に表示された番組表の他の例を示す図である。
【図４】図１の実施の形態の処理手順を説明するためのフローチャートである。
【図５】録画番組表表示データの作成手順を説明するためのフローチャートである。
【符号の説明】
【００５８】
１００  リモコン
２００  テレビジョン受像機
２０１  受光部
２０２  インタフェース（Ｉ／Ｆ）
２０３  制御部
２０４  オーバレイグラフィック処理部
２０６  音声処理部
２１０  チューナ
２１１  映像信号処理部
２１２  音声信号処理部
２１３  映像出力処理部
２１４  音声出力処理部
２２０  表示部
２３０  スピーカ
２４０  外部入力制御部
３００  アンテナ
４００−１乃至４００−４  録画装置
【図１】
2006245759.tif 000003
【図２】
2006245759.tif 000004
【図３】
2006245759.tif 000005
【図４】
2006245759.tif 000006
【図５】
2006245759.tif 000007